(57)【要約】【課題】カード型記録媒体の挿入を容易にするとともに、イジェクト時の落下を防止する。【解決手段】フロントパネル７に取り付けられたシャフト２６に、スロット１７ａを開閉するカバー３０を回動自在に取り付ける。カバー３０を、外装板３１とガイド板３２とから構成する。カバー３０は、開放位置に回動させると、板バネ３５により開放位置に付勢される。メモリカード５を受け面３２ａに載せて後方に移動させると、メモリカード５は、各幅ガイド凸部３２ｂ，３２ｃにより、幅方向がガイドされながら移動し、スロット１７ａに挿入される。カバー３０は、閉じ位置に回動させると、板バネ３５により閉じ位置に付勢される。イジェクトボタン２１を押圧すると、メモリカード５は、イジェクトされて、受け面３２ａ上を移動する。【選択図】図５
2009087281.tif 000002
【特許請求の範囲】
【請求項１】
水平方向に横長のスロットを有し、前記スロットに挿入されたカード型記録媒体からデータの再生を行うとともに、イジェクト操作時には前記スロットからカード型記録媒体が突出するように付勢するイジェクト機構を備えたデータ再生装置において、
前記スロットの下側の水平な軸を中心に回動自在に設けられ、前記スロットを覆う閉じ位置から前記スロットを露出させる開放位置に回動させたときに、前記カード型記録媒体の挿入及びイジェクト時に前記スロットの前方で前記カード型記録媒体の下面を支持する受け面が設けられたカバーを備えたことを特徴とするデータ再生装置。
【請求項２】
前記カバーは、
外部から視認可能な外装板と、
前記外装板に取り付けられ、前記受け面を有するガイド板と、を備えたことを特徴とする請求項１記載のデータ再生装置。
【請求項３】
前記受け面に、前記カード型記録媒体の挿入及びイジェクトを幅方向においてガイドする幅ガイド部を形成したことを特徴とする請求項１または２記載のデータ再生装置。
【請求項４】
前記カバーが前記開放位置に回動されたときに、前記カバーに当接して前記開放位置に位置決めする開放位置決め部と、
前記カバーが前記閉じ位置に回動されたときに、前記カバーに当接して前記閉じ位置に位置決めする閉じ位置決め部と、
前記カバーが開放位置に回動されたときに、前記カバーを前記開放位置決め部に当接する方向に付勢するとともに、前記カバーが前記閉じ位置に回動されたときに、前記カバーを前記閉じ位置決め部に当接する方向に付勢する付勢手段と、を備えたことを特徴とする請求項１ないし３いずれか１つ記載のデータ再生装置。
【発明の詳細な説明】
【技術分野】
【０００１】
本発明は、データ再生装置に関するものである。
【背景技術】
【０００２】
近年、メモリカード等のカード型記録媒体は、記録できる情報容量が増加しており、ＣＤやＤＶＤに代えて、メモリカードを記録媒体として使用するデータ再生装置が普及しつつある。
【０００３】
データ再生装置では、スロットを通してメモリカードを本体ケース内部に挿入して、本体ケース内部に設けられた接続端子に接続することにより、メモリカードの再生が可能となる。また、メモリカード再生装置は、開閉自在なカバーによりスロットを覆い、スロットから本体ケース内部に塵粉が入らないようにしている。データ再生装置は、使用する環境によっては大きな振動が常に加わることがあり、振動により、メモリカードの接続が緩み、再生を行うことができなくことがある。そこで、特許文献１では、カバーにメモリカードのストッパを設けて、メモリカードの接続が緩まないようにしたメモリカードの保持構造が提案されている。
【特許文献１】特開平１１−９５８６９号公報
【発明の開示】
【発明が解決しようとする課題】
【０００４】
しかしながら、メモリカードは、そのサイズが小さく、それに応じてスロットのサイズも小さいため、特許文献１のような構造では、メモリカードをスロットに挿入しづらい。このため、スロットに挿入することができずに、メモリカードを落下させてしまうことがあった。
【０００５】
また、メモリカードを取り出すときには、メモリカードをイジェクトした後に、取り出す。イジェクト量が小さいと、メモリカードが取り出しづらいため、メモリカードを取り出し易くするために、メモリカードのイジェクト量を大きくことが考えられる。しかしながら、イジェクト量を大きくすると、イジェクト時にメモリカードが本体ケースから落下してしまうという問題があった。
【０００６】
本発明は、上記課題を解決するためになされたものであり、カード型記録媒体の挿入を容易にするとともに、イジェクト時の落下を防止することができるデータ再生装置を提供することを目的とする。
【課題を解決するための手段】
【０００７】
上記目的を達成するために、本発明のデータ再生装置は、水平方向に横長のスロットを有し、前記スロットに挿入されたカード型記録媒体からデータの再生を行うとともに、イジェクト操作時には前記スロットからカード型記録媒体が突出するように付勢するイジェクト機構を備えたデータ再生装置において、前記スロットの下側の水平な軸を中心に回動自在に設けられ、前記スロットを覆う閉じ位置から前記スロットを露出させる開放位置に回動させたときに、前記カード型記録媒体の挿入及びイジェクト時に前記スロットの前方で前記カード型記録媒体の下面を支持する受け面が設けられたカバーを備えたことを特徴とする。なお、前記カード型記録媒体としては、コンパクトフラッシュ（登録商標）やＳＤカード等のメモリカード、ＩＣカード等が挙げられる。
【０００８】
また、前記カバーは、外部から視認可能な外装板と、前記外装板に取り付けられ、前記受け面を有するガイド板と、を備えることが好ましい。
【０００９】
さらに、前記受け面に、前記カード型記録媒体の挿入及びイジェクトを幅方向においてガイドする幅ガイド部を形成することが好ましい。
【００１０】
また、前記カバーが前記開放位置に回動されたときに、前記カバーに当接して前記開放位置に位置決めする開放位置決め部と、前記カバーが前記閉じ位置に回動されたときに、前記カバーに当接して前記閉じ位置に位置決めする閉じ位置決め部と、前記カバーが開放位置に回動されたときに、前記カバーを前記開放位置決め部に当接する方向に付勢するとともに、前記カバーが前記閉じ位置に回動されたときに、前記カバーを前記閉じ位置決め部に当接する方向に付勢する付勢手段と、を備えることが好ましい。
【発明の効果】
【００１１】
本発明によれば、カード型記録媒体の挿入及びイジェクト時に、カバーの受け面で、カード型記録媒体の下面を支持するから、カード型記録媒体を受け面に載せて移動させるだけで、容易にカード型記録媒体をスロットに挿入することができる。また、イジェクトされたカード型記録媒体を、受け面上で移動させるだけで、容易にカード型記録媒体を取り出すことができる。
【発明を実施するための最良の形態】
【００１２】
図１及び図２に示すように、メモリレコーダ（データ再生装置）２は、本体ケース３と、本体ケース３の内部に設けられた再生記録ユニット４とを備える。再生記録ユニット４は、カード型記録媒体としてのコンパクトフラッシュ（登録商標）メモリカード（以下、メモリカードと称する）５に対して音声データの再生及び記録を行う。本体ケース３は、再生記録ユニット４を収納するユニット収納ケース６と、ユニット収納ケース６の前面に取り付けられたフロントパネル７とから構成されている。フロントパネル７の前面には、電源ボタン１１、再生ボタン１２、停止ボタン１３、録音ボタン１４、待機ボタン１５等の各種操作ボタンと、表示パネル１６とが取り付けられている。
【００１３】
図２及び図３に示すように、フロントパネル７の前面には、凹部７ａが形成されており、この凹部７ａには、開口７ｂが形成されている。本体ケース３の内部には、メモリカード５を挿入する横長のスロット１７ａが形成されたカード収納ケース１７が設けられている。このカード収納ケース１７は、開口７ｂに挿入され、スロット１７ａが水平方向に横長となるように開口７ｂから露出している。メモリカード５を、スロット１７ａを通してカード収納ケース１７に挿入して、再生位置（図３参照）まで押し込むと、再生記録ユニット４に接続されて、メモリカード５の再生及び記録が可能となる。
【００１４】
凹部７ａには、カード収納ケース１７に収納されたメモリカード５をイジェクトするためのイジェクトボタン２１が設けられている。本体ケース３の内部には、イジェクトバネ２２、スライドレバー２３を有するイジェクト機構２４が設けられている。イジェクトバネ２２は、一端がカード収納ケース１７に設けられたバネフック部１７ｂにフックされ、他端はスライドレバー２３にフックされている。
【００１５】
スライドレバー２３は、前後方向（図３における左右方向）にスライド自在に設けられ、その一部がカード収納ケース１７に挿入されている。メモリカード５を再生位置に向けて押し込むと、スライドレバー２３に当接して、スライドレバー２３は後方に移動する。メモリカード５を再生位置まで押し込むと、スライドレバー２３は、イジェクトバネ２２をチャージした状態でロックされる。イジェクトボタン２１を押圧すると、ロックが解除され、スライドレバー２３は、イジェクトバネ２２の付勢により所定ストローク前方に移動する。スライドレバー２３の前方への移動により、メモリカード５は、スロット１７ａから突出して、所定ストロークイジェクトされる。
【００１６】
フロントパネル７には、スロット１７ａの下側であって水平方向に、シャフト２６が取り付けられている。シャフト２６には、スロット１７ａを開閉するカバー３０が回動自在に取り付けられている。カバー３０は、シャフト２６を中心にして、図２に示すスロット１７ａを開放する開放位置から、図３に示すスロット１７ａを覆う閉じ位置に回動されると、凹部７ａに収納される。フロントパネル７の前面には、指を差し込むための差込凹部７ｃが形成されている。ユーザは、差込凹部７ｃに指を差し込んで、カバー３０を開放位置に回動させる。また、フロントパネル７の内部には、カバー３０が開放されたことを検知する押圧タイプの開放検知センサが設けられており、この開放検知センサでカバー３０の開放が検知されると、カバー開放情報が、表示パネル１６に表示される。
【００１７】
カバー３０は、アルミ製の外装板３１と、外装板３１に取り付けられる樹脂（例えば、ＡＢＳ）製のガイド板３２とから構成されている。外装板３１は、シャフト２６が挿入される左軸受部３１ａ及び右軸受部３１ｂと、開放時にフロントパネル７に当接する開放当接部３１ｃと、閉じ時にフロントパネル７に当接する閉じ当接部３１ｄと、開放時に上記開放検知センサを押圧するセンサ押圧部３１ｅとが形成されている。各軸受部３１ａ，３１ｂにシャフト２６を挿入すると、外装板３１は、シャフト２６を中心にして回動自在となる。なお、ガイド板３２を構成する素材は、ＡＢＳに限らず、外装板３１よりも表面の摩擦抵抗が小さい素材であればよく、さらには、樹脂に限定されない。
【００１８】
ガイド板３２は、メモリカード５の挿入及びイジェクト時に、メモリカード５の下面を支持する受け面３２ａが形成されている。受け面３２ａは、カバー３０を開放位置に回動させたときに、スロット１７ａの下面とほぼ同高さとなる。受け面３２ａには、メモリカード５の挿入及びイジェクトを幅方向においてガイドする左幅ガイド凸部３２ｂ及び右幅ガイド凸部３２ｃが形成されている。右幅ガイド凸部３２ｃの前側端部は、幅方向に広がるように形成されている。受け面３２ａの後側端部は、イジェクトされたメモリカード５を載せるためにテーパ状に形成されている。外装板３１及びガイド板３２には、図示しない位置決め部が形成されており、各位置決め部により位置決めされた状態で、ガイド板３２は、両面テープにより外装板３１に取り付けられる。
【００１９】
フロントパネル７には、カバー３０を開放位置に回動したときに、開放当接部３１ｃに当接して回動を規制し、カバー３０を開放位置に位置決めする開放位置決め部７ｄと、カバー３０を閉じ位置に回動したときに、閉じ当接部３１ｄに当接して回動を規制し、カバー３０を閉じ位置に位置決めする閉じ位置決め部７ｅとが形成されている。
【００２０】
フロントパネル７の内部には、開放当接部３１ｃに常時当接して、カバー３０を開放位置及び閉じ位置に向けて付勢する板バネ（付勢手段）３５が設けられている。板バネ３５は、カバー３０を開放位置に回動させたときには、開放位置に向けて付勢し、カバー３０を閉じ位置に回動させたときには、閉じ位置に向けて付勢する。
【００２１】
次に、メモリレコーダ２の作用について説明する。メモリカード５をメモリレコーダ２にセットする場合には、図４及び図５に示すように、カバー３０を開放位置に回動させる。開放位置に回動されると、カバー３０は、板バネ３５により、開放当接部３１ｃが開放位置決め部７ｄに当接する方向であるＡ方向に付勢される。これにより、カバー３０は、振動等により閉じ位置に向けて回動されることなく、開放位置に位置する。
【００２２】
メモリカード５を受け面３２ａに載せて後方に移動させると、メモリカード５は、各幅ガイド凸部３２ｂ，３２ｃにより、幅方向がガイドされながら移動し、スロット１７ａに挿入される。そして、メモリカード５を再生位置まで押し込むと、スライドレバー２３は、イジェクトバネ２２をチャージした状態でロックされる。
【００２３】
次に、図３に示すように、カバー３０を閉じ位置に回動させる。閉じ位置に回動されると、カバー３０は、板バネ３５により、閉じ当接部３１ｄが閉じ位置決め部７ｅに当接する方向であるＢ方向に付勢される。これにより、カバー３０は、振動等により開放位置に向けて回動されることがなく、閉じ位置に位置する。
【００２４】
板バネ３５によるカバー３０付勢方向は、開放位置と閉じ位置との間の切換位置で切り換わる。すなわち、カバー３０は、開放位置から切換位置までは、開放位置に向けて付勢され、切換位置から閉じ位置までは、閉じ位置に向けて付勢される。これにより、カバー３０を、開放位置から閉じ位置に向けて回動させるとき及び閉じ位置から開放位置に向けて回動させるときに、適度な操作感を与えることができる。また、カバー３０は、板バネ３５により常時付勢されているため、ガタつくことなく安定して回動する。
【００２５】
メモリカード５を取り出す場合には、カバー３０を開放位置に回動して、イジェクトボタン２１を押圧する。イジェクトボタン２１を押圧すると、スライドレバー２３のロックが解除され、図６に示すように、メモリカード５は、イジェクトバネ２２の付勢によりイジェクトされる。
【００２６】
イジェクトされたメモリカード５は、受け面３２ａに支持され、受け面３２ａ上を移動する。このとき、メモリカード５は、各幅ガイド凸部３２ｂ，３２ｃにより、幅方向がガイドされながら移動する。そして、メモリカード５を、受け面３２ａ上で前方に移動させて取り出す。
【００２７】
このように、メモリカード５の挿入及びイジェクト時に、ガイド板３２の受け面３２ａでメモリカード５を支持するから、メモリカード５を受け面３２ａに載せて後方に移動させるだけで、容易にメモリカード５をスロット１７ａに挿入することができる。
【００２８】
また、イジェクトされたメモリカード５は、受け面３２ａで支持されるから、メモリカード５を、受け面３２ａ上で前方に移動させるだけで、容易にメモリカード５を取り出すことができる。
【００２９】
さらに、ガイド板３２の各幅ガイド凸部３２ｂ，３２ｃにより、メモリカード５の挿入及びイジェクトを幅方向においてガイドするから、より一層容易に、メモリカード５の挿入及び取り出しを行うことができる。
【００３０】
また、カバー３０を、外装板３１とガイド板３２とから構成したから、外装板３１を、表面の摩擦抵抗が比較的に大きいアルミ等の素材から構成した場合にも、ガイド板３２を、外装板３１よりも表面の摩擦抵抗が小さい素材から構成することにより、メモリカード５を、受け面３２ａ上で容易に移動させることができる。
【００３１】
さらに、１枚の板バネ３５により、カバー３０を開放位置及び閉じ位置に付勢するから、開放用のバネと閉じ用のバネとの２個のバネを設けるものに比べて、部品点数を減少してコストダウンを図ることができる。
【００３２】
なお、上記実施形態では、メモリレコーダ２に本発明を実施したが、スロットを有し、スロットに挿入されたメモリカードに対してデータの記録及び／または再生を行うものであれば、本発明は実施可能であり、例えば、内部に再生記録ユニットが設けられたディスプレイ装置等に実施してもよい。
【００３３】
また、上記実施形態では、イジェクトボタン２１の押圧によりメモリカード５をイジェクトするようにしたが、再生位置に位置するメモリカード５自体を一旦後方に押圧することにより、イジェクトするようにしてもよい。
【００３４】
さらに、上記実施形態では、カバー３０を、外装板３１とガイド板３２とから構成したが、これらを一体的に形成してもよい。
【００３５】
また、上記実施形態では、板バネ３５により、カバー３０を開放位置及び閉じ位置に付勢するようにしたが、板バネ３５に限らず、コイルバネやトーションバネ等によりカバー３０を付勢してもよい。
【００３６】
さらに、上記実施形態では、イジェクトバネ２２の付勢により、メモリカード５をイジェクトしたが、回転自在に設けたイジェクトレバーの回転により、メモリカード５を押し出してイジェクトしてもよい。この場合には、イジェクトボタン２１によりイジェクトレバーの一端を押圧して回転させ、他端でメモリカード５を押し出す。
【図面の簡単な説明】
【００３７】
【図１】本発明を実施したメモリレコーダの斜視図である。
【図２】カバーを開放した状態のフロントパネルとカード収納ケースとカバーとを示す斜視図である。
【図３】メモリレコーダの内部構造を示す側面断面図である。
【図４】カバーを開放した状態のメモリレコーダの内部構造を示す側面断面図である。
【図５】メモリカードを挿入するときのメモリカードとフロントパネルとカード収納ケースとカバーとを示す斜視図である。
【図６】メモリカードがイジェクされたときのメモリカードとフロントパネルとカード収納ケースとカバーとを示す斜視図である。
【符号の説明】
【００３８】
２  メモリレコーダ（データ再生装置）
３  本体ケース
４  再生記録ユニット
５  メモリカード（カード型記録媒体）
６  ユニット収納ケース
７  フロントパネル
７ｄ  開放位置決め部
７ｅ  閉じ位置決め部
１７  カード収納ケース
１７ａ  スロット
２４  イジェクト機構
２６  シャフト
３０  カバー
３１  外装板
３１ｃ  開放当接部
３１ｄ  閉じ当接部
３２  ガイド板
３２ａ  受け面
３２ｂ  左幅ガイド凸部（幅ガイド部）
３２ｃ  右幅ガイド凸部（幅ガイド部）
３５  板バネ（付勢手段）
【図１】
2009087281.tif 000003
【図２】
2009087281.tif 000004
【図３】
2009087281.tif 000005
【図４】
2009087281.tif 000006
【図５】
2009087281.tif 000007
【図６】
2009087281.tif 000008